(57)【要約】【課題】  地震などの揺れに対して平面テレビの転倒を防止するとともに、設置時にワイヤの長さの調整に工具を必要としない転倒防止具を提供する。【解決手段】  転倒防止具１は、接地面固定部２と、ワイヤ３２と平面テレビ６の背面部６２に連結される紐帯部３の一方端部としての背面固定部３４と接地面固定部２に連結される紐帯部３の他方端部としての基台固定部とワイヤ３２の張架長さを調整して係着する係着部３８とからなる連結部としての紐帯部３とから構成されている。【選択図】図１
2008228260.tif 000002
【特許請求の範囲】
【請求項１】
装置の側面と装置が載置された接地面とを張架することで、前記装置の転倒を防止する転倒防止具において、
一方の面が前記接地面に固定される接地面固定部と、
前記装置の側面と前記接地面固定具との間を張架する紐帯部とを具備し、
前記紐帯部は、紐状部と、前記紐状部の一方端部で装置の側面に連結される側面固定部と、前記紐状部の他方端部で前記接地面固定部と連結される基台固定部と、紐状部の張架長さを調節可能な係着部とを備えることを特徴とする転倒防止具。
【請求項２】
前記側面固定具は、固定部本体と、前記固定部本体に設けられ、前記装置の側面に設けられたネジ穴に螺合させるネジを挿通するネジ挿入孔と、前記ネジ挿入孔が設けられた面に平行に設けられ、前記紐状部を挿通する紐状部挿通孔とを有することを特徴とする請求項１に記載の転倒防止具。
【請求項３】
前記側面固定具は、固定部本体と、前記固定部本体に設けられ、前記装置の側面に設けられたネジ穴に螺合させるネジを挿通するネジ挿入孔と、前記ネジ挿入孔が設けられた面に平行に設けられ、前記紐状部を挿通するワイヤ挿通孔と、前記固定部本体の一方の面に設けられ、前記ネジ挿入孔が設けられた箇所と反対の側が略半円であるワイヤ摺動部と、前記ワイヤ摺動部を該ワイヤ摺動部の略半円の側に空間を有して覆うことで前記ワイヤ挿通孔を形成するワイヤ挿通孔形成部とを有することを特徴とする請求項１に記載の転倒防止具。
【請求項４】
前記側面固定具は、固定部本体と、前記固定部本体に設けられ、前記装置の側面に設けられたネジ穴に螺合させるネジを挿通するネジ挿入孔と、前記ネジ挿入孔が設けられた面に平行に設けられ、前記紐状部を挿通するワイヤ挿通孔と、前記固定部本体の一方の面に設けられ、前記ネジ挿入孔が設けられた箇所と反対の側に設けられた滑車と、前記滑車を空間を有して覆うことで前記ワイヤ挿通孔を形成するワイヤ挿通孔形成部とを有することを特徴とする請求項１に記載の転倒防止具。
【請求項５】
前記係着部は、平板と、前記平板の一端部近傍に設けられた第一の挿通孔と、前記第一の挿通孔と前記平板の他端部との間に設けられた第二の挿通孔と、前記平板の他端部の一方の面である表面に対して略垂直に立設された切片と、前記切片に設けられ前記紐状部を嵌め込む切り欠きとを有することを特徴とする請求項１乃至請求項４のいずれかに記載の転倒防止具。
【請求項６】
前記切り欠きは、前記第二の挿通孔と前記平板の他端部との間の前記平板の長手方向の一辺から巾を有する状態で前記平板の長手方向の略中心まで切り込みされ、該切り込みが前記平板の他端部の方向に巾を有した状態のまま続けて切り込みされていることを特徴とする請求項５に記載の転倒防止具。
【請求項７】
前記切片は、前記切り欠きの形成後、前記切り欠きの前記平板の長手方向の一辺からの前記切り込みの近傍を前記平板の短手方向と略平行な線上で折り曲げられて形成されていることを特徴とする請求項６に記載の転倒防止具。
【請求項８】
前記係着部は、平板と、前記平板の一端部近傍に設けられた第一の挿通孔と、前記第一の挿通孔と前記平板の他端部との間に設けられた第二の挿通孔と、前記紐状部を嵌め込む切り欠きとを有することを特徴とする請求項１乃至請求項４のいずれかに記載の転倒防止具。
【請求項９】
前記切り欠きは、前記第二の挿通孔と前記平板の他端部との間の前記平板の長手方向の一辺から巾を有する状態で前記平板の長手方向の略中心まで切り込みされ、該切り込みを前記平板の他端部の方向に巾を有した状態のまま続けて切り込みされて形成されていることを特徴とする請求項８に記載の転倒防止具。
【請求項１０】
前記接地面固定部を接地面に固定する固着部に離着可能な耐震接着ゴムを使用することを特徴とする請求項１乃至請求項９のいずれかに記載の転倒防止具。
【請求項１１】
前記装置が接地面に載置される脚部と前記接地面との間に耐震接着ゴムを使用することを特徴とする請求項１乃至請求項１０のいずれかに記載の転倒防止具。
【請求項１２】
装置の側面と装置が載置された接地面とを張架することで、前記装置の転倒を防止する転倒防止方法において、
一方の面が前記接地面に固定される接地面固定部と、前記装置の側面と前記接地面固定具との間を張架する紐帯部とを具備し、前記紐帯部は、紐状部と、前記紐状部の一方端部で装置の側面に連結される側面固定部と、前記紐状部の他方端部で前記接地面固定部と連結される基台固定部と、平板と前記平板の一端部近傍に設けられた第一の挿通孔と前記第一の挿通孔と前記平板の他端部との間に設けられた第二の挿通孔と前記紐状部を嵌め込む切り欠きとを有する係着部とを備える転倒防止具の係着部に、
前記紐帯部の一端を前記第二の挿通孔へ前記係着部の切片が立設されている側の面から挿通し、前記側面固定部へ挿通し、さらに該一端を前記第一の挿通孔へ挿通して固定し、前記係着部を他方端部の方向に移動して張架長さを調整した後に前記第二の挿通孔から延出する前記紐状部を前記切り欠きに嵌め込み係着することを特徴とする転倒防止方法。
【発明の詳細な説明】
【技術分野】
【０００１】  本発明は、机上などの設置面に据え置かれた大画面の平面テレビ、パーソナルコンピュータ（ＰＣ）の表示装置などの転倒を防止する転倒防止具及び転倒防止方法に関する。
【背景技術】
【０００２】  接地面に据え置かれた大画面の平面テレビやＰＣの表示装置は地震などの強い揺れにより転倒することがある。このため、従来から平面テレビや表示装置の転倒を防止するための種々の提案がなされている。特に大画面のテレビがテレビ設置台に据え置かれている場合、地震の発生により大画面テレビは画面前方のテレビの視聴者目掛けて接地面を滑り、或いは転倒し、視聴者上に落下する危険性がある。【０００３】  このため、特許文献１及び特許文献２には、薄型テレビの背面にある壁掛け金具取付けネジ部にワイヤ保持部を設け、該薄型テレビの後面の壁又は当該薄型テレビを載せたテレビ台に半円状の保持体を備えた固定金具を固定し、ワイヤ保持部と固定金具とをワイヤにて張架することにより転倒防止を図る構造が提案されている。
【特許文献１】  実用新案登録第３１２０４２８号
【特許文献１】  実用新案登録第３１２４５７４号
【発明の開示】
【発明が解決しようとする課題】
【０００４】  しかしながら、特許文献１及び特許文献２に開示されるような従来の転倒防止具では、平面テレビの大きさにより位置が違う壁掛け金具取付けネジ部と薄型テレビを載せたテレビ台との間の長さ毎に、ワイヤの長さを工具等で調整しなければならず、非常に不便であった。【０００５】  また、例え平面テレビの画面サイズが同じであったとしても、平面テレビのメーカにより、壁掛け金具取付けネジ部の位置は様々であり、ワイヤ長さを例えば画面サイズ３２インチ用として準備して販売したとしても、適用できるとは限らなかった。
【課題を解決するための手段】
【０００６】  この発明の目的は、上述した事情に鑑みなされたもので、この発明の主たる目的は、ワイヤ長さを自在に調整可能な転倒防止具を提供することである。【０００７】  上述した課題を解決し、目的を達成するため、この発明に係わる転倒防止具は、請求項１の記載によれば、装置の側面と装置が載置された接地面とを張架することで、前記装置の転倒を防止する転倒防止具において、一方の面が前記接地面に固定される接地面固定部と、前記装置の側面と前記接地面固定具との間を張架する紐帯部とを具備し、前記紐帯部は、紐状部と、前記紐状部の一方端部で装置の側面に連結される側面固定部と、前記紐状部の他方端部で前記接地面固定部と連結される基台固定部と、紐状部の張架長さを調節可能な係着部とを備えることを特徴とする。【０００８】  また、この発明に係わる転倒防止具は、請求項２の記載によれば、前記側面固定具は、固定部本体と、前記固定部本体に設けられ、前記装置の側面に設けられたネジ穴に螺合させるネジを挿通するネジ挿入孔と、前記ネジ挿入孔が設けられた面に平行に設けられ、前記紐状部を挿通する紐状部挿通孔とを有することを特徴とする。【０００９】  また、この発明に係わる転倒防止具は、請求項３の記載によれば、前記側面固定具は、固定部本体と、前記固定部本体に設けられ、前記装置の側面に設けられたネジ穴に螺合させるネジを挿通するネジ挿入孔と、前記ネジ挿入孔が設けられた面に平行に設けられ、前記紐状部を挿通するワイヤ挿通孔と、前記固定部本体の一方の面に設けられ、前記ネジ挿入孔が設けられた箇所と反対の側が略半円であるワイヤ摺動部と、前記ワイヤ摺動部を該ワイヤ摺動部の略半円の側に空間を有して覆うことで前記ワイヤ挿通孔を形成するワイヤ挿通孔形成部とを有することを特徴とする。【００１０】  また、この発明に係わる転倒防止具は、請求項４の記載によれば、前記側面固定具は、固定部本体と、前記固定部本体に設けられ、前記装置の側面に設けられたネジ穴に螺合させるネジを挿通するネジ挿入孔と、前記ネジ挿入孔が設けられた面に平行に設けられ、前記紐状部を挿通するワイヤ挿通孔と、前記固定部本体の一方の面に設けられ、前記ネジ挿入孔が設けられた箇所と反対の側に設けられた滑車と、前記滑車を空間を有して覆うことで前記ワイヤ挿通孔を形成するワイヤ挿通孔形成部とを有することを特徴とする。【００１１】  また、この発明に係わる転倒防止具は、請求項５の記載によれば、前記係着部は、平板と、前記平板の一端部近傍に設けられた第一の挿通孔と、前記第一の挿通孔と前記平板の他端部との間に設けられた第二の挿通孔と、前記平板の他端部の一方の面である表面に対して略垂直に立設された切片と、前記切片に設けられ前記紐状部を嵌め込む切り欠きとを有することを特徴とする。【００１２】  また、この発明に係わる転倒防止具は、請求項６の記載によれば、前記切り欠きは、前記第二の挿通孔と前記平板の他端部との間の前記平板の長手方向の一辺から巾を有する状態で前記平板の長手方向の略中心まで切り込みされ、該切り込みが前記平板の他端部の方向に巾を有した状態のまま続けて切り込みされていることを特徴とする。【００１３】  また、この発明に係わる転倒防止具は、請��項７の記載によれば、前記切片は、前記切り欠きの形成後、前記切り欠きの前記平板の長手方向の一辺からの前記切り込みの近傍を前記平板の短手方向と略平行な線上で折り曲げられて形成されていることを特徴とする。【００１４】  また、この発明に係わる転倒防止具は、請求項８の記載によれば、前記係着部は、平板と、前記平板の一端部近傍に設けられた第一の挿通孔と、前記第一の挿通孔と前記平板の他端部との間に設けられた第二の挿通孔と、前記紐状部を嵌め込む切り欠きとを有することを特徴とする。【００１５】  また、この発明に係わる転倒防止具は、請求項９の記載によれば、前記切り欠きは、前記第二の挿通孔と前記平板の他端部との間の前記平板の長手方向の一辺から巾を有する状態で前記平板の長手方向の略中心まで切り込みされ、該切り込みを前記平板の他端部の方向に巾を有した状態のまま続けて切り込みされて形成されていることを特徴とする。【００１６】  また、この発明に係わる転倒防止具は、請求項１０の記載によれば、前記接地面固定部を接地面に固定する固着部に離着可能な耐震接着ゴムを使用することを特徴とする。【００１７】  また、この発明に係わる転倒防止具は、請求項１１の記載によれば、前記装置が接地面に載置される脚部と前記接地面との間に耐震接着ゴムを使用することを特徴とする。【００１８】  また、この発明に係わる転倒防止方法は、請求項１２の記載によれば、装置の側面と装置が載置された接地面とを張架することで、前記装置の転倒を防止する転倒防止方法において、一方の面が前記接地面に固定される接地面固定部と、前記装置の側面と前記接地面固定具との間を張架する紐帯部とを具備し、前記紐帯部は、紐状部と、前記紐状部の一方端部で装置の側面に連結される側面固定部と、前記紐状部の他方端部で前記接地面固定部と連結される基台固定部と、平板と前記平板の一端部近傍に設けられた第一の挿通孔と前記第一の挿通孔と前記平板の他端部との間に設けられた第二の挿通孔と前記紐状部を嵌め込む切り欠きとを有する係着部とを備える転倒防止具の係着部に、前記紐帯部の一端を前記第二の挿通孔へ前記係着部の切片が立設されている側の面から挿通し、前記側面固定部へ挿通し、さらに該一端を前記第一の挿通孔へ挿通して固定し、前記係着部を他方端部の方向に移動して張架長さを調整した後に前記第二の挿通孔から延出する前記紐状部を前記切り欠きに嵌め込み係着することを特徴とする。
【発明の効果】
【００１９】
【００２０】  この発明によれば、ワイヤの長さを工具等で調整せずに設置可能な平面テレビの転倒防止のための転倒防止具を提供することができる。【００２１】  また、この発明の転倒防止具は、種々の大きさの平面テレビに適用可能である。【００２２】  また、この発明の転倒防止具により、安価かつ簡易な平面テレビの転倒防止具の提供することができる。【００２３】  また、この発明の転倒防止具は、離着可能な固定部材を使用することにより、平面テレビの設置場所の変更に容易に対応可能である。
【発明を実施するための最良の形態】
【００２４】＜第一の実施例＞
図１は、本発明の第一の実施例の転倒防止具を取り付けた平面テレビを背面部から見た斜視図である。図２は、本発明の第一の実施例の転倒防止具の図１の拡大図である。図３は、本発明の第一の実施例の転倒防止具の接地面固定部を示す図で、図３（ａ）は側面図、図３（ｂ）は平面図である。図４は、本発明の第一の実施例の転倒防止具の背面固定部を示す図で、図４（ａ）は平面図、図４（ｂ）は側面図である。図５は、本発明の第一の実施例の転倒防止具の係着部を示す図で、図５（ａ）は側面図、図５（ｂ）は平面図、図５（ｃ）は切片側からみた正面図である。【００２５】  装置としての平面テレビ６は設置台７の接地面７２に据え置かれている。平面テレビ６は、画面が設けられている前面部６１と、入出力端子や平面テレビ６を壁に掛けるためのネジ穴などが設けられている背面部６２と、支柱６３と、脚部６４とから構成される。脚部６４は、前面部６１の側の前面側脚部６４２と、背面部６２の側の背面側脚部６４４とから構成され、前面側脚部６４２と背面側脚部６４４は一体となっている。なお、前面側脚部６４２と背面側脚部６４４が分離されている場合もある。平面テレビ６は、設置台７の接地面７２に据え置かれる。【００２６】  接地面７２には２つの転倒防止具１が設けられている。転倒防止具１は接地面固定部２と、連結部としての紐帯部３とから構成される。【００２７】  接地面固定部２は、基台２２と、紐帯部３のワイヤ３２の他端が固定されるワイヤ固定部２４と、基台２２を接地面７２に固定する固着部２６とから構成される。また、紐帯部３は、ワイヤ３２と、背面固定部３４と、基台固定部と、係着部３８とから構成される。【００２８】  基台２２は、略矩形の平板状部材から構成される。また、基台２２は、一方の面である裏面（接地面７２側の面）に設けられた固着部２６で接地面７２に固定されている。基台２２の他方の面である表面にはワイヤ固定部２４が設けられている。【００２９】  固着部２６は、基台２２を接地面７２に固定するための部材であり、例えば両面テープ・接着剤や、または弾性や接着性・粘着性を有する耐震接着ゴム等の軟質ゴムが利用可能である。また、固着部２６の代わりに、基台２２にねじを挿入するための孔を設けて接地面７２にねじ留め固定しても良い。なお、離着可能な耐震接着ゴムを利用すれば、平面テレビの設置場所の変更に容易に対応可能である。【００３０】  ワイヤ固定部２４は、例えば基台２２の表面に設けられたネジ穴と該ネジ穴に螺合し、紐帯部３のワイヤ３２の他端を巻き付けたり結わえたりして固定するネジとから構成されている。なお、ワイヤ固定部２４は、基台の表面に設けられ、ワイヤ３２が挿通される逆Ｕ字形部材等でも良い。【００３１】  上記のような構成の接地面固定部２により、紐帯部３の他方端部としての基台２２の表面に設けられたネジへのワイヤ３２の他端の巻き付け部が接地面７２に固定される。【００３２】  紐帯部３は、ワイヤ３２と、平面テレビ６の背面部６２に連結される紐帯部３の一方端部としての背面固定部３４と、接地面固定部２に連結される紐帯部３の他方端部としての基台固定部と、ワイヤ３２の張架長さを調整して係着する係着部３８とから構成されている。な��、ワイヤは、例えば金属製またはカーボングラファイト製等の容易に切断しない紐状部材、帯状部材または棒状部材が利用可能である。【００３３】  背面固定部３４は、略矩形の固定部本体３４２と、固定部本体３４２に設けられ、平面テレビ６を壁に掛ける等のために予め背面部６２に設けられたネジ穴に螺合させるネジを挿入するネジ挿入孔３４４と、該ネジ挿入孔３４４が設けられた面に平行に設けられ、ワイヤ３２を挿通するワイヤ挿通孔３４６とから構成されている。このような構成を備える背面固定部３４は、ワイヤ挿通孔３４６にワイヤ３２が挿通された状態で、ネジ挿入孔３４４にネジを挿入して背面部６２に設けられたネジ穴に螺合することで背面部６２に固定される。【００３４】  基台固定部は、基台２２の表面に設けられたネジ穴に螺合するネジに巻き付けたり、該ネジに結わえたりした箇所である。また、ワイヤ固定部２４が基台の表面に設けられた逆Ｕ字形部材である場合には、基台固定部は、ワイヤ３２の他端に予めアルミ管を挿通したワイヤ３２を該逆Ｕ字形部材に挿通して、ワイヤ３２の他端を再度該アルミ管に挿通してカシメることで形成される環状部である。【００３５】  係着部３８は、略矩形の平板３８２と、平板３８２の一端部近傍に設けられた第一の挿通孔３８４と、第一の挿通孔３８４と平板３８２の他端部との間に設けられた第二の挿通孔３８６と、平板３８２の他端部の一方の面である表面に対して略垂直に立設された切片３８８と、切片３８８に設けられワイヤ３２を嵌め込む切り欠き３８９とから構成されている。【００３６】  なお、本発明の第一の実施例において、切り欠き３８９は、第二の挿通孔３８６と平板３８２の他端部との間の平板３８２の長手方向（図５（ｂ）における左右方向）の一辺から巾を有する状態で平板３８２の長手方向の略中心まで切り込みし、この切り込みを平板３８２の他端部の方向に巾を有した状態のまま続けて切り込みすることで形成されている。また、切片３８８は、切り欠き３８９の形成後、切り欠き３８９の平板３８２の長手方向の一辺からの切り込みの近傍を平板３８２の短手方向と略平行な線上で平板３８２を折り曲げることで形成されている。なお、ワイヤ３２が嵌め込まれる位置はワイヤ３２の断面である円形がちょうど嵌め込まれるように図５（ｃ）の曲線部分のように半円形となっている。また、切り欠き３８９により平板３８２に接続していない切片３８８の先端側（図５（ｃ）の切片３８８右側下部側）が平板３８２の厚み方向（図５（ｃ）の上下方向）に一部重なるように、切り欠き３８９の切り込みの巾と切片３８８を形成するための折り曲げ位置とを設定している。【００３７】  ワイヤ３２を背面固定部３４とワイヤ固定部２４と係着部３８とへ挿通して紐帯部３とする手順は、例えば以下の通りである。ワイヤ固定部２４が該逆Ｕ字形部材である場合、ワイヤ３２の他端に予めアルミ管を挿通してワイヤ３２を該逆Ｕ字形部材に挿通し、ワイヤ３２の他端を再度該アルミ管に挿入してカシメる。このような手順によりワイヤ３２の他端近傍が環状の基台固定部（紐帯部３の他方端部）となり、ワイヤ固定部２４に固定される。【００３８】  次にワイヤ３２の一端を係着部３８の第二の挿通孔３８６��表面（係着部３８の切片３８８が立設されている側の面）から裏面に挿通した後、背面固定部３４のワイヤ挿通孔３４６へ挿通し、さらに該一端をアルミ管へ挿通した後に、第一の挿通孔３８４へ挿通し、ワイヤ３２の任意の箇所で再度該アルミ管に挿入してカシメて固定する。なお、第一の挿通孔３８４へのワイヤ３２の挿通は、表面からでも裏面からでもどちらでも良い。【００３９】  さらに背面固定部３４のネジ挿入孔３４４にネジを挿入して背面部６２に設けられたネジ穴に螺合することで背面部６２に固定して紐帯部３の一方端部としての背面固定部３４とする。【００４０】  なお、ワイヤ３２は、種々の大きさの平面テレビに対応するために、その長さは長く設定されている。このため、背面固定部３４のネジ挿入孔３４４にネジを挿入して背面部６２に設けられたネジ穴に螺合した時点ではワイヤ３２が弛んだ状態となっている。【００４１】  このワイヤ３２の弛みを解消し、張架した状態とするために、係着部３８を紐帯部３の他方端部の方向（ワイヤ３２の他端の方向）に引っ張って移動させ張架長さを調整する。この張架長さの調整後、第二の挿通孔３８６から延出するワイヤ３２を切り欠き３８９に嵌め込み、係着部３８がワイヤ３２上を移動しないように係着する。なお、係着部３８によるワイヤ３２の張架長さの調整は、多少の弛みがある長さであっても問題ない。【００４２】  また、係着部３８によるワイヤ３２の係着は、切り欠き３８９へ嵌め込まれたワイヤ３２と切り欠き３８９との摩擦力によるため、ワイヤ３２に金属性等の剛性を有するワイヤを使用すると、ワイヤの弾性力でワイヤ３２が確実に切り欠き３８９に押し付け嵌め込まれることとなり、確実に係着可能である。【００４３】  また、この第一の実施例における係着部３８の切片３８８の立設の方向は、第二の挿通孔３８６から揺動体固定部３６へ延出するワイヤ３２の平板３８２に対する位置（即ち平板３８２の表面の側の方向）と同じであるので、金属製のワイヤが通常有する弾性力により、より確実に切り欠き３８９に嵌め込まれて係着することが可能である。【００４４】  また、切片３８８の先端側（図５（ｃ）の切片３８８右側下部側）が平板３８２の厚み方向（図５（ｃ）の上下方向）に一部重なるように、切り欠き３８９の切り込みの巾と切片３８８を形成するための折り曲げ位置とを設定しているので、ワイヤ３２は張架長さの調整後の作業者の手の接触や、地震等の揺れでは容易に係着が解除されないようになっている。【００４５】  さらに、係着部３８に、係着部３８を覆う大きさのゴム製スリーブ等を予め係着部３８と背面固定部３４との間のワイヤに準備しておき、ワイヤ３２の張架長さの調整の際は該ゴム製スリーブを係着部３８と背面固定部３４との間に留め置き、ワイヤ３２の張架長さの調整後は該ゴム製スリーブを係着部３８に被せるように移動させることで、係着部３８に手が触った等で切り欠き３８９からワイヤ３２がはずれることを防止することが可能である。【００４６】  このように、転倒防止具１は、接地面固定部２及び紐帯部３から構成されている。また、接地面固定部２は、基台２２が固着部２６により接地面７２に固定され、ワイヤ３２の基台固定部がワイヤ固定部２���に固定されている。また、紐帯部３は、一方端部である背面固定部３４が平面テレビ６の背面部６２に固定され、他方端部である基台固定部が接地面固定部２のワイヤ固定部２４を介して接地面７２に固定され、ワイヤ３２が係着部３８によりワイヤ３２の張架長さの調整可能な状態で背面固定部３４とワイヤ固定部２４との間に掛け渡されるように設置されている。なお、ワイヤは、例えば金属製またはカーボングラファイト製等の容易に切断しない紐状部材または帯状部材が利用可能である。【００４７】  このような構成の転倒防止具１が設置されている平面テレビ６が地震などの揺れにより接地面７２上で前面部６１側に揺さぶられと、背面固定部３４とワイヤ固定部２４との間に掛け渡されたワイヤ３２が平面テレビ６の転倒を防止することになる。【００４８】  また、この本発明の第一の実施例では、係着部３８を使用することにより種々の大きさの平面テレビに対応することが可能であるだけでなく、ワイヤ３２の張架長さの調整が容易であるので、接地面７２の表面の状況によらず最適な位置に接地面固定部２を配置し直すことが可能である。【００４９】  なお、脚部６４と接地面７２との間に耐震接着ゴムを利用すると、より効果的に平面テレビ６の転倒を防止することが可能である。固着部２６や脚部６４と接地面７２との間に利用される耐震接着ゴムは、弾性や接着性・粘着性を有するエステル系ウレタン樹脂からなる低弾性ゴムであり、リンクゲル（商標登録第４６５５９１２号）等の商品名で販売されている。この低弾性ゴムは、衝撃吸収率が９０％以上と高く、前後、左右、上下のあらゆる方向からの衝撃エネルギーを吸収することが出来るものであり、地震のような急激な振動に対しては剥がれないが、手に持ってゆっくり動かすことにより容易に剥がすことが可能な特長を有している。このため、本発明の転倒防止具での固着部２６や脚部６４と接地面７２との間で使用すると、地震の揺れに対して平面テレビ６の転倒を防止することが可能であるとともに、平面テレビ６の設置場所の変更に容易に対応可能である。また、特に固着部２６に離着可能な耐震接着ゴムを利用していた場合には、平面テレビ６の設置場所の変更後に再度固着部２６を利用することが可能である。【００５０】＜第一の実施例の第一の変形例＞
図６は、本発明の第一の実施例の第一の変形例の転倒防止具の係着部を示す図で、図６（ａ）は側面図、図６（ｂ）は平面図である。この図６において、上述した第一の実施例と同一の構成については同一の符号を付して説明を省略する。【００５１】  この図６に示す変形例では、係着部３８は、略矩形の平板３８２と、平板３８２の一端部近傍に設けられた第一の挿通孔３８４と、第一の挿通孔３８４と平板３８２の他端部との間に設けられた第二の挿通孔３８６と、平板３８２の他端部近傍に設けられワイヤ３２を嵌め込む切り欠き３８９とから構成されている。なお、本発明の第一の実施例の第一の変形例において、切り欠き３８９は、第二の挿通孔３８６と平板３８２の他端部との間の平板３８２の長手方向（図６（ｂ）における左右方向）の一辺から巾を有する状態で平板３８２の長手方向の略中心まで切り込みし、この切り込みを平板３８２の他端部の方向に巾を有した状態のまま続けて切り込みすることで形成されている。また、ワイヤ３２が嵌め込まれる位置はワイヤ３２の断面である円形がちょうど嵌め込まれるように図６（ｂ）の切り欠き３８９の曲線部分のように半円形となっている。【００５２】  ワイヤ３２を背面固定部３４とワイヤ固定部２４と係着部３８とへ挿通して紐帯部３とする手順は、例えば以下の通りである。ワイヤ固定部２４が該逆Ｕ字形部材である場合、ワイヤ３２の他端に予めアルミ管を挿通してワイヤ３２を該逆Ｕ字形部材に挿通し、ワイヤ３２の他端を再度該アルミ管に挿入してカシメる。このような手順によりワイヤ３２の他端近傍が環状の基台固定部（紐帯部３の他方端部）となり、ワイヤ固定部２４に固定される。【００５３】  次にワイヤ３２の一端を係着部３８の第二の挿通孔３８６へ挿通した後、背面固定部３４のワイヤ挿通孔３４６へ挿通し、さらに該一端をアルミ管へ挿通した後に、第一の挿通孔３８４へ挿通し、ワイヤ３２の任意の箇所で再度該アルミ管に挿入してカシメて固定する。なお、第一の挿通孔３８４と第二の挿通孔３８６へのワイヤ３２の挿通は、表面からでも裏面からでもどちらでも良い。【００５４】  さらに背面固定部３４のネジ挿入孔３４４にネジを挿入して背面部６２に設けられたネジ穴に螺合することで背面部６２に固定して紐帯部３の一方端部としての背面固定部３４とする。【００５５】  なお、ワイヤ３２は、種々の大きさの平面テレビに対応するために、その長さは長く設定されている。このため、背面固定部３４のネジ挿入孔３４４にネジを挿入して背面部６２に設けられたネジ穴に螺合した時点ではワイヤ３２が弛んだ状態となっている。【００５６】  このワイヤ３２の弛みを解消し、張架した状態とするために、係着部３８を紐帯部３の他方端部の方向（ワイヤ３２の他端の方向）に引っ張って張架長さを調整する。この張架長さの調整後、第二の挿通孔３８６から延出するワイヤ３２を切り欠き３８９に嵌め込み、係着部３８がワイヤ３２上を移動しないように係着する。なお、係着部３８によるワイヤ３２の張架長さの調整は、多少の弛みがある長さであっても問題ない。【００５７】  また、係着部３８によるワイヤ３２の係着は、切り欠き３８９へ嵌め込まれたワイヤ３２と切り欠き３８９との摩擦力によるた���、ワイヤ３２に金属性等の剛性を有するワイヤを使用すると、ワイヤの弾性力でワイヤ３２が確実に切り欠き３８９に押し付け嵌め込まれることとなり、確実に係着可能である。【００５８】  また、この第一の実施例の第一の変形例における係着部３８の切り欠き３８９は平板３８２の面に平行であるので、切り欠き３８９へのワイヤ３２の嵌め込み面が第二の挿通孔３８６からワイヤ３２が突出される面と同じ平面上に位置することになり、金属製のワイヤが通常有する弾性力により、ワイヤ３２の張架長さの調整後の作業者の手の接触や地震等の揺れで容易に係着が解除されずに、確実に切り欠き３８９に嵌め込まれて係着することが可能である。【００５９】  さらに、係着部３８に、係着部３８を覆う大きさのゴム製スリーブ等を予め係着部３８と背面固定部３４との間のワイヤに準備しておき、ワイヤ３２の張架長さの調整の際は該ゴム製スリーブを係着部３８と背面固定部３４との間に留め置き、ワイヤ３２の張架長さの調整後は該ゴム製スリーブを係着部３８に被せるように移動させることで、係着部３８に手が触った等で切り欠き３８９からワイヤ３２がはずれることを防止することが可能である。【００６０】  ＜第一の実施例の第二の変形例＞
図７は、本発明の第一の実施例の第二の変形例の転倒防止具の背面固定部を示す図で、図７（ａ）は平面図、図７（ｂ）は側面図である。この図７において、上述した第一の実施例と同一の構成については同一の符号を付して説明を省略する。【００６１】  背面固定部３４は、略矩形の固定部本体３４２と、固定部本体３４２に設けられ、平面テレビ６を壁に掛ける等のために予め背面部６２に設けられたネジ穴に螺合させるネジを挿入するネジ挿入孔３４４と、該ネジ挿入孔３４４が設けられた面に平行に設けられ、ワイヤ３２を挿通するワイヤ挿通孔３４６と、固定部本体３４２の一方の面に設けられ、ネジ挿入孔３４４が設けられた箇所と反対の側に設けられた略半円のワイヤ摺動部３４５と、ワイヤ摺動部３４５をワイヤ摺動部３４５の略半円の側に空間を有して覆うことでワイヤ挿通孔３４６を形成するワイヤ挿通孔形成部３４８とから構成されている。このような構成を備える背面固定部３４は、ワイヤ挿通孔３４６にワイヤ３２が挿通された状態で、ネジ挿入孔３４４にネジを挿入して背面部６２に設けられたネジ穴に螺合することで背面部６２に固定される。【００６２】  この第一の実施例の第二の変形例の背面固定部３４により、ワイヤ挿通孔３４６に挿通されたワイヤ３２がワイヤ摺動部３４５の略半円によりスムーズに摺動することが可能となるので、ワイヤ３２の張架長さの調整の際の係着部３８からワイヤ挿通孔３４６の一端までのワイヤ長さと、ワイヤ挿通孔３４６の他端から係着部３８までのワイヤ長さを容易に調整可能となる。このことにより、係着部３８からワイヤ挿通孔３４６の一端までのワイヤ長さと、ワイヤ挿通孔３４６の他端から係着部３８までのワイヤ長さのばらつきによる地震等の揺れでの背面固定部３４や接地面固定部２へ不用意な大きな力がかかることを防止することが可能となり、より確実に地震などの揺れに対して転倒が防止されることになる。【００６３】  ＜第一の実施例の第三の変形例＞
図８は、本発明の第一の実施例の第三の変形例の転倒防止具の背面固定部を示す図で、図８（ａ）は平面図、図８（ｂ）は側面図である。この図８において、上述した第一の実施例と同一の構成については同一の符号を付して説明を省略する。【００６４】  背面固定部３４は、略矩形の固定部本体３４２と、固定部本体３４２に設けられ、平面テレビ６を壁に掛ける等のために予め背面部６２に設けられたネジ穴に螺合させるネジを挿入するネジ挿入孔３４４と、該ネジ挿入孔３４４が設けられた面に平行に設けられ、ワイヤ３２を挿通するワイヤ挿通孔３４６と、固定部本体３４２の一方の面に設けられ、ネジ挿入孔３４４が設けられた箇所と反対の側に設けられた滑車３４７と、滑車３４７を空間を有して覆うことでワイヤ挿通孔３４６を形成するワイヤ挿通孔形成部３４８とから構成されている。このような構成を備える背面固定部３４は、ワイヤ挿通孔３４６にワイヤ３２が挿通された状態で、ネジ挿入孔３４４にネジを挿入して背面部６２に設けられたネジ穴に螺合することで背面部６２に固定される。【００６５】  この第一の実施例の第三の変形例の背面固定部３４により、ワイヤ挿通孔３４６に挿通されたワイヤ３２が滑車３４７によりスムーズに摺動することが可能となるので、ワイヤ３２の張架長さの調整の際の係着部３８からワイヤ挿通孔３４６の一端までのワイヤ長さと、ワイヤ挿通孔３４６の他端から係着部３８までのワイヤ長さを容易に調整可能となる。このことにより、係着部３８からワイヤ挿通孔３４６の一端までのワイヤ長さと、ワイヤ挿通孔３４６の他端から係着部３８までのワイヤ長さのばらつきによる地震等の揺れでの背面固定部３４や接地面固定部２へ不用意な大きな力がかかることを防止することが可能となり、より確実に地震などの揺れに対して転倒が防止されることになる。【００６６】  本発明は、上述した実施例の形状や構成若しくは手順に限定されることなく、この発明の趣旨を逸脱しない範囲で、種々の変形が可能であることは言うまでもない。【００６７】  例えば本実施例は装置として平面テレビについて説明したが、照明用スタンド、パソコンの表示装置、各種什器などの設置に利用可能である。また、平面テレビについての説明であったため背面から固定すると説明したが、照明用スタンドや各種什器であれば、前面から固定することも可能である。【００６８】  また、本実施例は平面テレビを設置面に据え置く場合について説明したが、床面、棚等に据え置かれる場合も含まれることはいうまでもない。【００６９】  また、本実施例では、転倒防止具１を２個使用する場合について説明したが、転倒防止具は１個で使用しても、また３個以上利用してもよいことは言うまでもない。【００７０】  また、接地面固定部２は接地面７２に固定すると説明したが、例えば壁面に固定しても同様の効果が得られることは言うまでもない。
【産業上の利用可能性】
【００７１】  この発明の係着部は、例えばアウトドアで用いられるテントでのタープとペグとを張架する紐の係着部としてや、建設現場でのワイヤの係着部としても利用可能である。
【図面の簡単な説明】
【００７２】
【図１】第一の実施例の転倒防止具を取り付けた平面テレビを背面部から見た斜視図。
【図２】第一の実施例の転倒防止具の図１の拡大図。
【図３】第一の実施例の転倒防止具の接地面固定部を示す図。
【図４】第一の実施例の転倒防止具の背面固定部を示す図。
【図５】第一の実施例の転倒防止具の係着部を示す図。
【図６】第一の実施例の第一の変形例の転倒防止具の係着部を示す図。
【図７】第一の実施例の第二の変形例の転倒防止具の背面固定部を示す図。
【図８】第一の実施例の第三の変形例の転倒防止具の背面固定部を示す図。
【符号の説明】
【００７３】１・・・転倒防止器具
２・・・接地面固定部
２２・・・基台
２４・・・ワイヤ固定部
２６・・・固着部
３・・・紐帯部
３２・・・ワイヤ
３４・・・背面固定部、３４２・・・固定部本体、３４４・・・ネジ挿入孔、３４６・・・ワイヤ挿通孔
３８・・・係着部、３８２・・・平板、３８４・・・第一の挿通孔、３８６・・・第二の挿通孔、３８８・・・切片、３８９・・・切り欠き
６・・・平面テレビ
７・・・設置台
７２・・・接地面
６１・・・前面部
６２・・・背面部
６３・・・支柱
６４・・・脚部、６４２・・・前面側脚部、６４４・・・背面側脚部
【図１】
2008228260.tif 000003
【図２】
2008228260.tif 000004
【図３】
2008228260.tif 000005
【図４】
2008228260.tif 000006
【図５】
2008228260.tif 000007
【図６】
2008228260.tif 000008
【図７】
2008228260.tif 000009
【図８】
2008228260.tif 000010